(57)【特許請求の範囲】
【請求項１】
後方から端子金具を挿入させるためのキャビティを有するハウジングと、
前記ハウジングに組み付けられるリテーナとを備えてなり、
前記キャビティに前記端子金具を挿入する過程では、前記キャビティ内のランスが前記端子金具との干渉により弾性撓みし、
前記端子金具が正規挿入位置に達した状態では、前記ランスが、自由状態に復帰して前記端子金具に係止することでその端子金具を抜止め状態とし、
前記リテーナを前記ハウジングに組み付けた状態では、前記リテーナが、前記ランスの撓み空間内に嵌入して、そのランスが前記端子金具から外れる方向へ弾性撓みすることを規制するようにしたものにおいて、
前記ランスが弾性撓みしない自由状態においては、前記ランスと前記端子金具との間に前記ランスが前記端子金具側へ弾性撓みすることを許容する隙間が空けられており、
前記リテーナが前記撓み空間に嵌入された状態では、前記ランスが、前記リテーナに押されて自由状態から前記端子金具側へ撓まされることで、前記ランスと前記端子金具との間の係止代が増大するようになっていることを特徴とするコネクタ。
【請求項２】
前記キャビティの前端部を構成する壁部が他のキャビティとは独立した形態で突出する形態とされているとともに、
前記リテーナには、前記キャビティの前端部を構成する前記壁部に対して包囲するように嵌合される嵌合部が形成されており、
前記リテーナにおける前記撓み空間への嵌入部が前記嵌合部に形成されていることを特徴とする請求項１記載のコネクタ。
【請求項３】
前記ランスが前方へ片持ち状に延出する形態とされているとともに、そのランスの延出端が前記端子金具への係止部とされていることを特徴とする請求項１又は請求項２記載のコネクタ。
【請求項４】
前記ランスが前方へ片持ち状に延出する形態とされているものにおいて、
前記リテーナが、前記ランスと前記端子金具との係止位置よりも後方において前記ランスに当接され、
前記ハウジング又は前記端子金具には、前記ランスにおける前記端子金具との係止部が前記端子金具側へ変位することを規制可能な変位規制部が設けられていることを特徴とする請求項１乃至請求項３のいずれかに記載のコネクタ。
【請求項５】
前記ランスの側縁部には、前記撓み空間とは反対側を向く可動面が形成され、
前記ランスの側縁部に沿うように設けられることで前記キャビティを構成する側壁には、前記可動面と対向する受け面が形成されており、
前記リテーナが前記ランスを前記端子金具側へ撓ませた状態では、前記可動面が前記受け面に対して接近又は当接する構成としたことを特徴とする請求項１乃至請求項４のいずれかに記載のコネクタ。
【発明の詳細な説明】
【０００１】
【発明の属する技術分野】
本発明は、端子金具を二重係止する機能を備えたコネクタに関する。
【０００２】
【従来の技術】
端子金具を二重係止する機能を備えたコネクタとして、従来、実開平０４−１０２５７６号公報に開示されているものがある。これは、端子金具と、端子金具を挿入させるためのキャビティを有するハウジングと、ハウジングに対して前方から組み付けられるフロントリテーナとを備えている。後方からキャビティに端子金具を挿入する過程では、キャビティ内のランスが端子金具との干渉により弾性撓みし、端子金具が正規挿入位置に達すると、ランスが弾性復帰して端子金具に係止してその端子金具を抜止め状態とする。この状態から、フロントリテーナをハウジングに組み付けると、フロントリテーナの抜止部が、ランスの撓み空間内に嵌入し、そのランスが端子金具から外れる方向へ弾性撓みすることを規制する。このように、端子金具は、ランスの係止による直接的な抜止め手段と、ランスをフロントリテーナで撓み規制する間接的な抜止め手段とによって、二重係止状態とされる。
【０００３】
【発明が解決しようとする課題】
上記のようにランスで端子金具を抜け止めするコネクタでは、端子金具の挿入過程でランスが撓み空間側へ弾性撓みしたときの撓み量が、端子金具とランスとの係止代となる。したがって、端子金具とのランスの係止代を大きくするためには、ランスの弾性撓み量、即ち撓み空間の寸法を大きく確保すればよい。
ところが、端子金具の挿入過程におけるランスの弾性撓み量を大きくすると、ランスに蓄勢される弾性復元力が増し、その分、ランスと端子金具との間の摩擦抵抗が大きくなる。そのため、端子金具の挿入に抗する抵抗が増大するだけでなく、電線を摘んで挿入作業を行う場合には電線が座屈（腰折れ）する虞もあり、端子金具の円滑な挿入作業に支障を来すことになる。
【０００４】
本願発明は上記事情に鑑みて創案され、端子金具の挿入作業性を低下させることなく、端子金具を抜止め機能の信頼性向上を図ることを目的としている。
【０００５】
【課題を解決するための手段】
請求項１の発明は、後方から端子金具を挿入させるためのキャビティを有するハウジングと、前記ハウジングに組み付けられるリテーナとを備えてなり、前記キャビティに前記端子金具を挿入する過程では、前記キャビティ内のランスが前記端子金具との干渉により弾性撓みし、前記端子金具が正規挿入位置に達した状態では、前記ランスが、自由状態に復帰して前記端子金具に係止することでその端子金具を抜止め状態とし、前記リテーナを前記ハウジングに組み付けた状態では、前記リテーナが、前記ランスの撓み空間内に嵌入して、そのランスが前記端子金具から外れる方向へ弾性撓みすることを規制するようにしたものにおいて、前記ランスが弾性撓みしない自由状態においては、前記ランスと前記端子金具との間に前記ランスが前記端子金具側へ弾性撓みすることを許容する隙間が空けられており、前記リテーナが前記撓み空間に嵌入された状態では、前記ランスが、前記リテーナに押されて自由状態から前記端子金具側へ撓まされることで、前記ランスと前記端子金具との間の係止代が増大するようになっている構成とした。
【０００６】
請求項２の発明は、請求項１の発明において、前記キャビティの前端部を構成する壁部が他のキャビティとは独立した形態で突出する形態とされているとともに、前記リテーナには、前記キャビティの前端部を構成する前記壁部に対して包囲するように嵌合される嵌合部が形成されており、前記リテーナにおける前記撓み空間への嵌入部が前記嵌合部に形成されている構成とした。
請求項３の発明は、請求項１又は請求項２の発明において、前記ランスが前方へ片持ち状に延出する形態とされているとともに、そのランスの延出端が前記端子金具への係止部とされている構成とした。
【０００７】
請求項４の発明は、請求項１乃至請求項３のいずれかの発明において、前記ランスが前方へ片持ち状に延出する形態とされているものにおいて、前記リテーナが、前記ランスと前記端子金具との係止位置よりも後方において前記ランスに当接され、前記ハウジング又は前記端子金具には、前記ランスにおける前記端子金具との係止部が前記端子金具側へ変位することを規制可能な変位規制部が設けられている構成とした。
【０００８】
請求項５の発明は、請求項１乃至請求項４のいずれかの発明において、前記ランスの側縁部には、前記撓み空間とは反対側を向く可動面が形成され、前記ランスの側縁部に沿うように設けられることで前記キャビティを構成する側壁には、前記可動面と対向する受け面が形成されており、前記リテーナが前記ランスを前記端子金具側へ撓ませた状態では、前記可動面が前記受け面に対して接近又は当接する構成とした。
【０００９】
【発明の作用及び効果】
［請求項１の発明］
リテーナが撓み空間に嵌入された状態では、ランスが、自由状態よりも端子金具側へ撓まされるので、その撓み分だけランスと端子金具との係止代が増大する。したがって、端子金具の挿入過程におけるランスの弾性撓み量、即ち端子金具を挿入する時の抵抗を小さく抑えつつ、端子金具とランスとの係止代を大きく確保することができる。
［請求項２の発明］
ランスの嵌合部は、キャビティの前端部を構成する壁部に対して包囲するように嵌合されるので、キャビティ及びキャビティに挿入されている端子金具に対して遊動することがない。したがって、この嵌合部に形成されている嵌入部も、キャビティ及び端子金具に対して遊動することがなく、ランスを確実に端子金具側へ撓ませることができる。
【００１０】
［請求項３の発明］
端子金具との係止部から更に係止解除用治具のための引掛部を延出させた形態のランスの場合は、自由状態のランスを端子金具側へ撓ませたときにその治具用の引掛部が端子金具の外面と干渉してランスの撓み量が制約される。これに対し本発明では、ランスが片持ち状に延出してその延出端を端子金具に係止させる形態となっているので、上記引掛部のように端子金具の外面と干渉する部位がない。したがって、ランスの端子金具への撓み量を大きく確保することができる。
【００１１】
［請求項４の発明］
端子金具に対して後方から引張力が作用した場合、ランスが、その撓みの支点位置と端子金具に対する係止位置との間の部分を撓み空間側へ屈曲させつつ座屈変形することが懸念される。しかし、撓みの支点位置と端子金具に対する係止位置との間（＝端子金具との係止位置よりも後方）においては、ランスに対して撓み空間側からリテーナが当接しているので、ランスが撓み空間側へ屈曲するような形態で座屈変形することはない。また、ランスの延出端部はリテーナから離間する方向（＝端子金具側）への変位が規制されているので、リテーナがランスに当接する状態が保たれ、上記のリテーナによる座屈防止機能が損なわれることはない。
【００１２】
［請求項５の発明］
キャビティは、側壁とランスの側縁部との隙間を介して外部に開放されているため、この隙間により、隣り合うキャビティの端子金具同士の間でリークが発生することが懸念される。しかし、本発明では、側壁の受け面に対してランスの可動面が接近又は当接するようになっているので、側壁とランスとの隙間が塞がれた状態となり、これによってリークが防止される。
【００１３】
【発明の実施の形態】
［実施形態１］
以下、本発明を具体化した実施形態１を図１乃至図９を参照して説明する。
【００１４】
本実施形態のコネクタは、ハウジング１０、リテーナ３０及び端子金具４０を備えて構成されている。
ハウジング１０は合成樹脂製であって、その内部には複数のキャビティ１１がハウジング１０の前後両端面に開口して形成されている。これらのキャビティ１１は、上下２段に分かれるとともに、各段において横に並ぶ形態で配置されている。
上段側のキャビティ１１の前端部は、左右一対の側壁１２と、この両側壁１２の前端部同士を連結する前面壁１３とによって構成されており、下段側のキャビティ１１の前端部は、左右一対の側壁１２と、この両側壁１２の前端部同士を連結する前面壁１３と、両側壁１２及び前面壁１３の下縁に連なる底壁１４とによって構成されている。キャビティ１１の前端部を構成するこれらの壁部は、図７に示すように、他のキャビティ１１の前端部を構成する壁部とは独立して個別に前方へ突出した形態の突出部１５となっている。尚、前面壁１３には、端子金具４０のタブ４２をキャビティ１１外へ突出させるためのタブ孔１６が形成されている。
【００１５】
各突出部１５の上面、即ち両側壁１２の間の領域は開口した形態となっていて、この開口部における略後半分領域は、ハウジング１０に形成したランス２０によって上から覆われている。ランス２０の左右両側縁部と両側壁１２の上端縁との間には、前後方向のスリット状をなす隙間が空けられている。この側壁１２の上端面、即ちランス２０の側縁部の下面と対向する面は受け面１８とされている。この受け面１８は、キャビティ１１に対する端子金具４０の挿入方向（水平方向）と略並行をなしている。また、この受け面１８は、ランス２０の延出端部（前端部）即ち端子金具４０に対する係止部２３が端子金具４０側（下方）へ変位するのを規制するための変位規制部としても機能する。
【００１６】
ハウジング１０には、キャビティ１１の上面の開口部に沿って前方へ片持ち状に延出した形態であって、上下方向への弾性撓みを可能とされたランス２０が形成されている。このランス２０は、横断面形状（前方から視た形状）が左右対称な凸字形をなしており、幅方向（左右方向）中央は上下の厚さ寸法の大きい肉厚部２１とされ、その肉厚部２１の左右両側は上下の厚さが肉厚部２１よりも薄い肉薄部２２とされている。ランス２０の下面（端子金具４０と対応する面）においては肉厚部２１と肉薄部２２の下面同士が面一状に連続するが、ランス２０の上面（後述する撓み空間２６に臨む面）においては、肉厚部２１が肉薄部２２よりも上方へ突出した形態となっている。
【００１７】
かかるランス２０の前端下縁部は、端子金具４０に係止してその端子金具４０を抜止めするための係止部２３となっている。ランス２０が弾性撓みしない自由状態においては、係止部２３がキャビティ１１内における端子金具４０の挿入空間内に突出した状態、即ちキャビティ１１の天井面よりも下方へ突出した状態となる。また、肉薄部２２の上面（撓み空間２６と対応する面）は、前下がりに傾斜したガイド斜面２４となっており、このガイド斜面２４には後述するリテーナ３０が当接されるようになっている。
【００１８】
また、ランス２０の幅寸法はキャビティ１１を構成する側壁１２の外面間の距離と同じ寸法とされ、前方から視ると、肉薄部２２の左右両側面が側壁１２の外面に対して面一となっている。ランス２０の肉薄部２２の側縁部における下面（撓み空間２６とは反対側の面）は、側壁１２の受け面１８に対して上下に対向する可動面２５となっている。ランス２０が弾性撓みしていない自由状態においては、可動面２５は受け面１８と略並行をなしている。
【００１９】
各キャビティ１１のランス２０の上方には、そのランス２０の上方への弾性撓みを許容するための撓み空間２６が、ハウジング１０の前端面に開口する形態で形成されている。下段側のランス２０の撓み空間２６は、ランス２０の肉厚部２１と対応する領域において上段側のキャビティ１１に連通されており、この下段側のランス２０は、上段側のキャビティ１１と下段側のキャビティ１１との間を仕切るように位置している。
【００２０】
リテーナ３０は合成樹脂製であって、ハウジング１０に対して前方から組み付けられる。ハウジング１０には、上記した突出部１５及びランス２０を包囲するとともに前方へ開放された形態の組付け空間２７が形成されており、リテーナ３０は、この組付け空間２７内に収容される正規組付け位置（図１及び図５を参照）と、組付け空間２７から前方へ退避した仮組付け位置（図２及び図４を参照）とに組み付けられるようになっている。
【００２１】
リテーナ３０の後面部には、各突出部１５を、夫々、個別に上下左右方向へのガタ付きなく嵌合させるための嵌合部３１が形成されている。個々の嵌合部３１は、略角筒状をなし、突出部１５に対して包囲するように嵌合される。そして、突出部１５は上下左右に整列されていることから、これら角筒状をなす嵌合部３１の集合体として見ると、全体として格子状をなしている（図９を参照）。
各嵌合部３１には、夫々、各ランス２０の肉薄部２２と対応する嵌入部３２が形成されている。この嵌入部３２は嵌合部３１（突出部１５を包囲する部分）の一部を構成するものである。嵌入部３２の下面には、ランス２０のガイド斜面２４と対応する押圧斜面３３が形成されている。
【００２２】
尚、嵌合部３１には、ランス２０の肉厚部２１との干渉を回避するための逃がし溝３４が形成されている。また、リテーナ３０には、端子金具４０のタブ４２を貫通させるための貫通孔３５がキャビティ１１のタブ孔１６と対応するように形成されている。
リテーナ３０が仮組付け位置にある状態では、嵌入部３２はランス２０よりも前方に離れた位置にあるが、リテーナ３０を正規組付け位置へ押し込むと、各嵌入部３２が撓み空間２６に嵌入される。上段側の撓み空間２６に嵌入された嵌入部３２は、その撓み空間２６の天井面とランス２０の肉薄部２２の上面との間に割り込み、リテーナ３０の押圧斜面３３がランス２０のガイド斜面２４を下方へ押圧する。下段側の撓み空間２６に嵌入した嵌入部３２は、上段のキャビティ１１を構成する側壁１２の下端面と肉薄部２２の上面との間に割り込み、リテーナ３０の押圧斜面３３がランス２０のガイド斜面２４を下方へ押圧する。これにより、各ランス２０は、夫々、自由状態よりも端子金具４０側（下方）の位置へ強制的に押し下げられ、撓み空間２６側（上方）への撓みを規制される。
【００２３】
端子金具４０は、所定形状に打ち抜いた金属板材を曲げ加工して成形したものであって、全体として前後方向に細長い形態となっている。端子金具４０の長さ方向における略中央部分は角筒部４１となっており、角筒部４１からはタブ４２が前方に延出されており、端子金具４０の後端部の電線圧着部４３には電線４４が圧着により接続されている。かかる端子金具４０は後方から各キャビティ１１に挿入される。
【００２４】
角筒部４１の上面板には、その前後方向における一部を全幅に亘って切欠した形態の上部切欠部４５が形成されており、角筒部４１の左右両側板の上端部には、上面板の上部切欠部４５と対応する側部切欠部４６が形成されている。これらの切欠部４５，４６の前端縁は、ランス２０の係止部２３に対して前方から係止される抜止部４７となっている。側部切欠部４６の水平に延びる上縁は、ランス２０の延出端部の係止部２３が端子金具４０側へ変位することを規制するための変位規制部４８となっている。この端子金具４０の変位規制部４８は、ハウジング１０（キャビティ１１を構成する側壁１２）の受け面１８とほぼ同じ高さとされている。端子金具４０をキャビティ１１に挿入した状態において、角筒部４１の上面板の高さは、自由状態のランス２０の下面よりも高い位置にある（図１及び図２を参照）。
【００２５】
次に、本実施形態の作用を説明する。
本実施形態のコネクタの組付けに際しては、まず、ハウジング１０に対してリテーナ３０を仮組付け位置に組み付ける。この仮組付け状態では、図２に示すように、嵌入部３２がランス２０の前端よりもさらに前方に離れているため、ランス２０の撓み空間２６側への弾性撓みは許容されている。この状態から各キャビティ１１に端子金具４０を挿入する。挿入が進んで正規挿入位置に近くなると、角筒部４１の上面の前端がランス２０の下面に当接し、それ以降は、端子金具４０の挿入が進むのに伴ってランス２０が上方へ弾性撓みさせられて撓み空間２６内に進出する（図４を参照）。
【００２６】
この半挿入状態を経た端子金具４０が正規挿入位置に到達すると、ランス２０が下方へ弾性復帰し、その前端の係止部２３が角筒部４１の切欠部４５，４６内に落ち込み、抜止部４７に対して後方から係止する。このランス２０の係止により、端子金具４０は、後方への遊動を規制された抜止め状態とされる。尚、角筒部４１がキャビティ１１の前面壁１３に当接することにより、端子金具４０は正規挿入位置において前止まりされる。
【００２７】
このランス２０によって抜止めされている状態では、ランス２０が弾性撓みしない自由状態となっているとともに、ランス２０の係止部２３と端子金具４０の変位規制部４８との間、及び係止部２３と受け面１８との間に、夫々、上下方向の隙間が空いている。したがって、この隙間の分だけランス２０は下方へ弾性撓みすることができる。
さて、全ての端子金具４０を挿入し終わったら、仮組付け位置のリテーナ３０を押し込んで図１に示す正規組付け位置とする。リテーナ３０を押し込む過程では、各撓み空間２６内に嵌入部３２が進入してその押圧斜面３３をランス２０のガイド斜面２４に当接させ、その後は、リテーナ３０の押し込みが進むのに伴なって押圧斜面３３がガイド斜面２４を下方へ押し動かし、ランス２０は、自由状態から端子金具４０側（下方）へ強制的に撓まされて前下がりの姿勢となる。このランス２０の変位により、自由状態のときに比べると、ランス２０の係止部２３と端子金具４０の抜止部４７との間の係止代（上下方向における係止領域）が増大する（図１と図２とを比較参照のこと）。また、ランス２０は、その肉薄部２２を嵌入部３２によって上から押さえつけられているため、撓み空間２６側（上方）への弾性撓みを規制され、端子金具４０に係止した状態に保持される。これにより、端子金具４０は二重係止状態となって確実な抜止めがなされる。
【００２８】
また、リテーナ３０を正規組付け位置に押し込んだ状態では、嵌合部３１が、各突出部１５に対し、上下左右の各方向におけるガタ付きを生じることなく包囲するように外嵌される。したがって、リテーナ３０及びその嵌合部３１に形成されている嵌入部３２は、ハウジング１０及び端子金具４０に対して上下左右方向へ遊動することがなく、ランス２０を正規の位置まで確実に押し下げる。
また、ランス２０が端子金具４０に係止した状態で端子金具４０に後方への引張力が作用した場合には、ランス２０が、その係止部２３と撓みの支点（ランス２０の後端）との間の部分を撓み空間２６側へ膨出させるような形態で座屈変形することが懸念される。しかしながら、本実施形態では、リテーナ３０がランス２０を押し下げて前傾姿勢にした状態のときに、リテーナ３０の嵌入部３２が、ランス２０の上面に対して係止部２３よりも後方（ランス２０の撓みの支点となる後端よりは前方）の位置で上から当接しているとともに、ランス２０の係止部２３が、受け面１８及び変位規制部４８に当接することにより下方へ変位を規制されている。したがって、端子金具４０及び係止部２３に後方への引張力が付与されても、ランス２０は座屈変形する虞がない。
【００２９】
上述のように本実施形態においては、リテーナ３０の嵌入部３２が撓み空間２６に嵌入された状態では、ランス２０が、自由状態よりも端子金具４０側へ撓まされるので、その撓み分だけランス２０と端子金具４０との係止代が増大する。したがって、端子金具４０の挿入過程におけるランス２０の弾性撓み量、即ち端子金具４０を挿入する時の端子金具４０とランス２０との摩擦に起因する抵抗を小さく抑えつつ、端子金具４０とランス２０との係止代を大きく確保することができる。即ち、端子金具４０の挿入作業性を低下させることなく、端子金具４０を抜止め機能の信頼性向上が実現されている。
【００３０】
また、キャビティ１１の前端部を構成する壁部が他のキャビティ１１とは独立した形態の突出部１５として突出する形態となっているのであるが、リテーナ３０には、突出部１５に対してこれをガタ付きなく包囲するように嵌合される嵌合部３１が形成され、この嵌合部３１に嵌入部３２が形成されている。これにより、嵌入部３２がキャビティ１１及び端子金具４０に対して遊動することが規制され、ランス２０を確実に端子金具４０側へ撓ませることができるようになっている。
【００３１】
また、端子金具との係止部から更に係止解除用治具のための引掛部を延出させた形態のランス（図示せず）の場合は、自由状態のランスを端子金具側へ撓ませたときにその治具用の引掛部が端子金具の外面と干渉してランスの撓み量が制約されることが懸念される。しかしながら、本実施形態では、ランス２０が片持ち状に延出してその延出端を端子金具４０に係止させるための係止部２３としているので、上記引掛部のように端子金具４０の外面と干渉する部位がない。したがって、ランス２０の端子金具４０への撓み量を大きく確保することが可能となっている。
【００３２】
［実施形態２］
次に、本発明を具体化した実施形態２を図１０及び図１１を参照して説明する。本実施形態２は、ランス５０の両側縁部の可動面５１を上記実施形態１とは異なる構成としたものである。上記実施形態１では、ランス２０が弾性撓みしない自由状態ではランス２０の可動面２５とハウジング１０の受け面１８とがほほ並行をなすようになっていたが、本実施形態２の可動面５１は、前方に向かって上り勾配となるように傾斜している。したがって、ランス５０が自由状態のときには、受け面１８と可動面５１との上下方向の間隔は前方（ランス５０の延出端側）に向かって大きくなる。そして、リテーナ３０の嵌入部３２が撓み空間２６に嵌入されてランス５０が自由状態よりも端子金具４０側へ強制的に撓まされた状態では、可動面５１が受け面１８に対してほぼ平行となる。しかも、可動面５１は受け面１８に対して僅かな隙間のみを空けるように接近した状態となる。
【００３３】
上記実施形態１でも説明したように、キャビティ１１の前端部は、側壁１２の上端の受け面１８とランス５０の側縁部の可動面５１との隙間を介して外部に開放されている。そのため、この隙間によって、隣り合うキャビティ１１の端子金具４０同士の間でリークが発生することが懸念される。しかし、本実施形態２では、リテーナ３０がランス５０を端子金具４０側へ撓ませた状態では、ランス５０の可動面５１がその全長に亘って受け面１８に対して接近する構成としている。したがって、側壁１２とランス５０との隙間が塞がれた状態となり、隙間の存在に起因するリークが防止されている。
【００３４】
また、可動面５１を受け面１８に対して斜めに形成するに際しては、実施形態１のランス２０と比較すると、ランス５０の厚さが後端側に向かって増大する形態となっているので、肉厚になった分だけランス５０の強度が向上している。
尚、本実施形態２では、リテーナ３０がランス５０を撓ませた状態では、可動面５１と受け面１８との間に僅かに隙間が残るようになっているが、可動面５１のうちランス５０の撓み支点（後端部）を除いた広い領域を受け面１８に対して当接させるようにしてもよい。
【００３５】
その他の構成については上記実施形態１と同じであるため、同じ構成については、同一符号を付し、構造、作用及び効果の説明は省略する。
［他の実施形態］
本発明は上記記述及び図面によって説明した実施形態に限定されるものではなく、例えば次のような実施態様も本発明の技術的範囲に含まれ、さらに、下記以外にも要旨を逸脱しない範囲内で種々変更して実施することができる。
（１）上記実施形態ではリテーナがハウジングに対して前方から（端子金具の挿入方向と平行な方向に）組み付けられるようにしたが、本発明は、リテーナが端子金具の挿入方向と交差する向きに組み付けられる場合にも適用することができる。
【００３６】
（２）上記実施形態では各キャビティの前端部を構成する壁部が他のキャビティから独立した形態で個別にタワー状に突出する形態としたが、本発明は、隣接するキャビティ同士を共通の隔壁で仕切る形態のコネクタにも適用することができる。
（３）上記実施形態では雄タブを有する雄端子金具が挿入される雄コネクタに適用した例を説明したが、本発明は、雄タブを有しない雌端子金具が挿入される雌コネクタにも適用することができる。
【００３７】
（４）上記実施形態ではランスの延出端が端子金具に係止される場合について説明したが、本発明によれば、ランスの延出端よりも後方に突起を形成し、その突起を端子金具に係止させる場合にも適用することができる。
（５）上記実施形態ではランスがキャビティよりも幅広で、キャビティの側壁と対応する形態としたが、本発明によれば、ランスの幅がキャビティ内に納まる幅狭の寸法としてもよい。
【図面の簡単な説明】
【図１】実施形態１においてリテーナを正規組付け位置に組み付けた状態をあらわす部分拡大断面図
【図２】リテーナを仮組付け位置に組み付けた状態の部分拡大断面図
【図３】分解状態の断面図
【図４】ハウジングに端子金具を挿入する途中の状態をあらわす断面図
【図５】リテーナを正規組付け位置に組み付けた状態の部分拡大水平断面図
【図６】ハウジングの正面図
【図７】キャビティの前端部を構成する突出部をあらわす部分拡大斜視図
【図８】リテーナの斜視図
【図９】リテーナの背面図
【図１０】実施形態２においてリテーナを正規組付け位置に組み付けた状態をあらわす部分拡大断面図
【図１１】リテーナを仮組付け位置に組み付けた状態の部分拡大断面図
【符号の説明】
１０…ハウジング
１１…キャビティ
１３…側壁（キャビティの前端部を構成する壁部）
１４…底壁（キャビティの前端部を構成する壁部）
１８…受け面（変位規制部）
２０…ランス
２３…係止部
２５…可動面
２６…撓み空間
３０…リテーナ
３１…嵌合部
３２…嵌入部
４０…端子金具
４８…変位規制部
５０…ランス
５１…可動面
【図１】
0003896896.tif 000002
【図２】
0003896896.tif 000003
【図３】
0003896896.tif 000004
【図４】
0003896896.tif 000005
【図５】
0003896896.tif 000006
【図６】
0003896896.tif 000007
【図７】
0003896896.tif 000008
【図８】
0003896896.tif 000009
【図９】
0003896896.tif 000010
【図１０】
0003896896.tif 000011
【図１１】
0003896896.tif 000012